(57)【要約】【課題】施術者の経験や熟練度等の如何にかかわらず被施術者の身体の状態に対応して施術できるように施術対象筋の筋肉部位を可視化する。【解決手段】施術すべき筋肉である施術対象筋又は施術すべき経穴を特定する施術部位特定装置であって、あらかじめ定められた複数の関連する姿勢を示す関連姿勢画像と、前記各関連姿勢画像に示された姿勢のうち、被施術者が最も違例に感じる又は最も違例に感じない姿勢を選択入力するための回答選択欄とが対にして表示される検査画面を複数種類表示する検査画像表示部と、前記各検査画面に表示された回答選択欄にそれぞれ入力された回答を示す回答データを受け付け、それら回答データに基づいて、施術対象筋又は経穴を特定する施術対象筋／経穴特定部と、人体外観の全部又は一部を示す人体画像を表示するとともに、該人体画像において、前記施術対象筋／経穴特定部が特定した施術筋肉又は経穴の部位を他の部位とは区別可能に表示する施術対象筋／経穴表示部を具備する。【選択図】図１
2016154853.tif 000002
【特許請求の範囲】
【請求項１】
施術すべき筋肉である施術対象筋又は施術すべき施術対象経穴を特定する施術部位特定装置であって、
あらかじめ定められた複数の関連する姿勢を示す関連姿勢画像と、前記各関連姿勢画像に示された姿勢のうち、被施術者が最も違例に感じる又は最も違例に感じない姿勢を選択入力するための回答選択欄とが対にして表示される検査画面を複数種類表示する検査画像表示部と、
前記各検査画面に表示された回答選択欄にそれぞれ入力された回答を示す回答データを受け付け、それら回答データに基づいて、施術対象筋又は施術対象経穴を特定する施術対象筋／経穴特定部と、
人体外観の全部又は一部を示す人体画像を表示するとともに、該人体画像において、前記施術対象筋／経穴特定部が特定した施術対象筋又は施術対象経穴の部位を他の部位とは区別可能に表示する施術対象筋／経穴表示部を具備することを特徴とする施術部位特定装置。
【請求項２】
施術対象筋表示部が、治療目的を選択入力するための複数の目的選択欄を表示するとともに、施術対象筋特定部が、選択された目的選択欄に入力された選択を示す回答データを受け付け、該回答データに基づいて施術対象筋を特定する請求項１記載の施術部位特定装置。
【請求項３】
施術対象筋／経穴表示部が、人体の基準面の組み合わせを選択入力するための複数の基準面選択欄を表示するとともに、施術対象筋／経穴特定部が、選択された基準面選択欄に入力された選択を示す回答データを受け付け、該回答データに基づいて施術対象筋又は施術対象経穴を特定する請求項１又は２記載の施術部位特定装置。
【請求項４】
施術対象筋／経穴表示部が、施術方法を選択入力するための複数の施術法選択欄を表示するとともに、施術対象筋／経穴特定部が、選択された施術法選択欄に入力された選択を示す回答データを受け付け、該回答データに基づいて施術対象筋又は施術対象経穴を特定する請求項１、２又は３記載の施術部位特定装置。
【請求項５】
施術すべき筋肉である施術対象筋又は施術すべき施術対象経穴を特定する施術部位特定装置に用いられるプログラムであって、
あらかじめ定められた複数の関連する姿勢を示す関連姿勢画像と、前記各関連姿勢画像に示された姿勢のうち、被施術者が最も違例に感じる又は最も違例に感じない姿勢を選択入力するための回答選択欄とが対にして表示される検査画面を複数種類表示する検査画像表示部と、
前記各検査画面に表示された回答選択欄にそれぞれ入力された回答を示す回答データを受け付け、それら回答データに基づいて、施術対象筋又は施術対象経穴を特定する施術対象筋／経穴特定部と、
人体外観の全部又は一部を示す人体画像を表示するとともに、該人体画像において、前記施術対象筋／経穴特定部が特定した施術対象筋又は施術対象経穴の部位を他の部位とは区別可能に表示する施術対象筋／経穴表示部を具備することを特徴とする施術部位特定装置用プログラム。
【発明の詳細な説明】
【技術分野】
【０００１】
本発明は、按摩、鍼、灸や柔道整復術等の手技療法において、施術対象となり得る筋肉や経穴がある部位を特定して表示する施術部位特定装置及び施術部位特定装置用プログラムに関するものである。
【背景技術】
【０００２】
従来、柔道整復、指圧及びマッサージを含む按摩、鍼、灸、カイロプラクティック、整体等における手技療法では、施術者が被施術者に症状を問診して、その問診結果から施術方法を決定するのが一般的である。その一方で、施術方法の決定に際して、データベース等を活用して、施術者個人の技量に左右されることなく的確に施術できるようにする装置が開発されている。
【０００３】
特許文献１は、本部と支部とにそれぞれ設置されて本部と支部との間で通信が可能な複数の施術データの指示装置が記載している。支部の指示装置は、施術検索データを表示し、表示された施術検索データに沿って施術者が被施術者に触診し、その結果に基づいて施術方法を検索し、検索された施術方法を表示するとともに、本部のコンピュータに検索された施術方法を出力する構成である。施術に際して支部の施術者は、施術検索データの検査点に対応する被施術者の対応部位を押して、「痛い」と回答された部位を圧痛点に確認し、確認した圧痛点からあらかじめ定められた圧痛点パターンを選択する。本部の支持装置は、受信した施術方法を大型スクリーンに表示する。
【０００４】
このような構成において、検索されて表示された施術方法を参考にして、支部の施術者以外の本部の複数の施術者が大型スクリーンを確認することにより最終的な施術方法を検討し、検討した施術方法が支部の施術者に伝達されて被施術者に施術する。
【先行技術文献】
【特許文献】
【０００５】
【特許文献１】特開２００１−２９３０５８号公報
【発明の概要】
【発明が解決しようとする課題】
【０００６】
特許文献１のものでは、表示される施術検索データは、被施術者の身体の圧痛点を探すためのものであり、施術検索データで指定される検査点を押さない限り被施術者の身体の状態は把握できない。この場合、施術者による検査点の押し具合は、施術者の経験や熟練度等により変わる。施術者が変わることで被施術者が「痛い」と感じる検査点が異なると、同じ被施術者であっても施術者が選択する圧痛点パターンが施術者毎に変わる可能性があり、施術方法にばらつきを生じた。そのため、検索された施術方法では、必ずしも被施術者の症状にそぐわないこともあった。
【０００７】
そこで、本発明は上述したような問題を鑑みてなされたものであり、施術者の経験や熟練度等の如何にかかわらず被施術者の身体の状態に対応して施術できるように施術すべき筋肉や経穴の部位を可視化する施術部位特定装置及び施術部位特定装置用プログラムを提供することを目的とする。
【課題を解決するための手段】
【０００８】
すなわち、本発明の施術部位特定装置は、施術すべき筋肉である施術対象筋又は施術すべき施術対象経穴を特定する施術部位特定装置であって、あらかじめ定められた複数の関連する姿勢を示す関連姿勢画像と、前記各関連姿勢画像に示された姿勢のうち、被施術者が最も違例に感じる又は最も違例に感じない姿勢を選択入力するための回答選択欄とが対にして表示される検査画面を複数種類表示する検査画像表示部と、前記各検査画面に表示された回答選択欄にそれぞれ入力された回答を示す回答データを受け付け、それら回答データに基づいて、施術対象筋又は施術対象経穴を特定する施術対象筋／経穴特定部と、人体外観の全部又は一部を示す人体画像を表示するとともに、該人体画像において、前記施術対象筋／経穴特定部が特定した施術対象筋又は施術対象経穴の部位を他の部位とは区別可能に表示する施術対象筋／経穴表示部を具備することを特徴とする。
【０００９】
このようなものであれば、検査画像表示部に表示された関連姿勢画像の姿勢のうち、被施術者が感じた違例な感じの有無を回答選択欄により回答することで、施術対象筋／経穴特定部が施術対象筋又は施術対象経穴を特定し、施術対象筋／経穴表示部が特定した施術対象筋又は施術対象経穴の部位を表示するので、症状に対応した施術対象筋又は施術対象経穴を標準化することができる。そのため、施術者は、経験、熟練度に左右されることなく、適切に施術することができる。
【００１０】
本発明における施術とは、施術者あるいは被施術者自身により、施術対象筋又は施術対象経穴に対して、按摩、マッサージ、指圧、鍼、灸、テーピング、ストレッチ、電気療法、骨格矯正、さらには筋力トレーニング等の運動療法等を施すことである。
【００１１】
被施術者の症状に応じた、あるいは施術者の希望する治療に最適な施術をするためには、施術対象筋／経穴表示部が、治療目的を選択入力するための複数の目的選択欄を表示するとともに、施術対象筋／経穴特定部が、選択された目的選択欄に入力された選択を示す回答データを受け付け、該回答データに基づいて施術対象筋又は施術対象経穴を特定するものが望ましい。
【００１２】
治療継続中に症状の改善が低い時等に、別の角度から施術対象筋又は施術対象経穴の筋肉部位を表示するためには、施術対象筋／経穴表示部が、人体の基準面の組み合わせを選択入力するための複数の基準面選択欄を表示するとともに、施術対象筋／経穴特定部が、選択された基準面選択欄に入力された選択を示す回答データを受け付け、該回答データに基づいて施術対象筋又は施術対象経穴を特定するものが望ましい。
【００１３】
施術するに際して、施術方法に適合する施術対象筋又は施術対象経穴の部位を表示するためには、施術対象筋／経穴表示部が、施術方法を選択入力するための複数の施術法選択欄を表示するとともに、施術対象筋／経穴特定部が、選択された施術法選択欄に入力された選択を示す回答データを受け付け、該回答データに基づいて施術対象筋又は施術対象経穴を特定するものが望ましい。
【００１４】
本発明の施術部位特定装置用プログラムは、施術すべき筋肉である施術対象筋又は施術すべき施術対象経穴を特定する施術部位特定装置に用いられるプログラムであって、あらかじめ定められた複数の関連する姿勢を示す関連姿勢画像と、前記各関連姿勢画像に示された姿勢のうち、被施術者が最も違例に感じる又は最も違例に感じない姿勢を選択入力するための回答選択欄とが対にして表示される検査画面を複数種類表示する検査画像表示部と、前記各検査画面に表示された回答選択欄にそれぞれ入力された回答を示す回答データを受け付け、それら回答データに基づいて、施術対象筋又は施術対象経穴を特定する施術対象筋／経穴特定部と、人体外観の全部又は一部を示す人体画像を表示するとともに、該人体画像において、前記施術対象筋／経穴特定部が特定した施術対象筋又は施術対象経穴の部位を他の部位とは区別可能に表示する施術対象筋／経穴表示部を具備することを特徴とする。
【発明の効果】
【００１５】
このように本発明の施術部位特定装置及び施術部位特定装置用プログラムによれば、被施術者が感じた違例な感じの有無に基づいて施術対象筋又は施術対象経穴を特定し、その特定された施術対象筋又は施術対象経穴の部位を表示することで、症状に対応した施術対象筋又は施術対象経穴を標準化することができ、施術者は、経験、熟練度に左右されることなく、適切に施術することができる。
【図面の簡単な説明】
【００１６】
【図１】本発明の実施形態の施術部位特定装置の構成を示すブロック図。
【図２】同実施形態のメインメニュー画面の画面構成図。
【図３】同実施形態のサブメニュー画面の画面構成図。
【図４】同実施形態の基本の動作検査における第一の検査画面の画面構成図。
【図５】同実施形態の基本の動作検査における第二の検査画面の画面構成図。
【図６】同実施形態の基本の動作検査における第三の検査画面の画面構成図。
【図７】同実施形態の基本の動作検査における第四の検査画面の画面構成図。
【図８】同実施形態の基本の動作検査における第五の検査画面の画面構成図。
【図９】同実施形態の基本の動作検査における第六の検査画面の画面構成図。
【図１０】同実施形態の基本の動作検査における第七の検査画面の画面構成図。
【図１１】同実施形態の急性痛の動作検査における第一の急性痛検査画面の画面構成図。
【図１２】同実施形態の急性痛の動作検査における第二の急性痛検査画面の画面構成図。
【図１３】同実施形態の急性痛の動作検査における第三の急性痛検査画面の画面構成図。
【図１４】同実施形態の急性痛の動作検査における第四の急性痛検査画面の画面構成図。
【図１５】同実施形態の急性痛の動作検査における第五の急性痛検査画面の画面構成図。
【図１６】同実施形態の基本の動作検査における仰臥画像を表示する対象筋表示画面の画面構成図。
【図１７】同実施形態の基本の動作検査における仰臥画像を表示する対象筋表示画面の画面構成図。
【図１８】同実施形態の基本の動作検査における伏臥画像を表示する対象筋表示画面の画面構成図。
【図１９】同実施形態の基本の動作検査における右側臥画像を表示する対象筋表示画面の画面構成図。
【図２０】同実施形態の基本の動作検査における左側臥画像を表示する対象筋表示画面の画面構成図。
【図２１】同実施形態の急性痛の動作検査に対する仰臥画像を表示する施術対象筋画面の画面構成図。
【図２２】同実施形態の急性痛の動作検査に対する伏臥画像を表示する施術対象筋画面の画面構成図。
【図２３】本発明の他の実施形態における基本の動作検査の検査画面の画面構成図。
【図２４】本発明のさらに他の実施形態における基本の動作検査の検査画面の画面構成図。
【図２５】本発明の実施形態において特定された施術対象筋に対する施術であるテーピングの例を示す画面の画面構成図。
【図２６】本発明の実施形態において特定された施術対象筋に対する施術であるストレッチの例を示す画面の画面構成図。
【発明を実施するための形態】
【００１７】
本発明の一実施形態を、図１〜図２２を参照して説明する。
【００１８】
図１に示すように、施術部位特定装置１００は、図示しない例えばＣＰＵ、メモリ、入出力インターフェース、通信インターフェース等からなるコンピュータ回路１、キーボードやマウス等の入力手段２、ディスプレイ３を備えて構成されたものである。施術部位特定装置１００は、メモリの所定領域に記憶させた所定のプログラムにより、コンピュータ回路１、入力手段２、ディスプレイ３が協働することにより、後述するメニュー表示部４、検査画面表示部５、施術対象筋／経穴特定部６、施術対象筋／経穴表示部７として機能する。この実施形態では、表示される各画面において、文字列で表示される複数の選択欄によるデータ入力はグラフィカルユーザーインターフェース（ＧＵＩとも言う）により可能になっている。すなわち、各選択欄への回答の入力は、入力手段２であるマウスでカーソルを選択欄に位置させ、その状態でマウスのボタンをクリックすることで回答データがコンピュータ回路１に入力されるものである。以下に説明する全ての選択欄において、同様にして回答を入力するものである。
【００１９】
次に上記各部の詳細な説明も兼ねて、上述した施術部位特定装置１００の構成について説明する。
【００２０】
メニュー表示部４は、作業内容を示す複数の回答選択欄Ａ１００を表示するメインメニュー画面Ｄ１と、メインメニュー画面Ｄ１の回答選択欄Ａ１００に回答を入力した際にその回答選択欄Ａ１００に対応する複数の回答選択欄Ａ１００を表示するサブメニュー画面Ｄ２とを切り替えてディスプレイ３に表示する。メニュー表示部４が表示するメインメニュー画面Ｄ１は例えば、図２に示すように、選択欄である、売上管理欄Ａ１、動作検査欄Ａ２、症状管理欄Ａ３、患者様管理欄Ａ４、ユーザー切替欄Ａ５、及びログアウト欄Ａ６の回答選択欄Ａ１００を表示するとともに、施術部位特定装置１００を使用する複数の施術者のうちログインしている施術者の氏名を氏名表示部分８に表示する。
【００２１】
このメインメニュー画面Ｄ１において、売上管理欄Ａ１をクリックすると、売り上げの管理を行う作業画面に切り替わる。症状管理欄Ａ３をクリックすると、被施術者の症状の詳細を管理する画面に切り替わり、患者様管理欄Ａ４をクリックすると、被施術者の個人情報を管理する画面に切り替わる。さらに動作検査欄をクリックＡ２すると、図３に示すサブメニュー画面Ｄ２に切り替わる。サブメニュー画面Ｄ２は例えば、基本の動作検査欄Ａ７、急性痛の動作検査欄Ａ８、症状管理欄Ａ３、メインメニュー欄Ａ９及びログアウト欄Ａ６を表示する。
【００２２】
検査画面表示部５は、あらかじめ定められた複数の関連する姿勢を示す関連姿勢画像１０と、前記各関連姿勢画像１０に示された姿勢のうち、被施術者が最も違例に感じる又は最も違例に感じない姿勢を選択入力するための回答選択欄Ａ１００とが対にして表示される検査画面を複数種類表示する。この実施形態では、複数の関連姿勢画像１００を同一の検査画面に同時に表示するものである。関連する姿勢とは例えば、立位での前屈と後屈、立位や座位での右側屈と左側屈、座位での体幹や頸部の右回旋と左回旋のように、一方の姿勢とは反対になる姿勢等を指し、そのような姿勢それぞれを対にして関連姿勢画像として表示する。違例に感じるとは、関連する姿勢をとるまでの動作がしにくいあるいは体を動かせずに姿勢がとれない、姿勢をとった時に違和感がある、常とは違う痛みがある等、症状を自覚する前と比較して動作や姿勢をとった時に違った感じがあることを指す。なお、以下の説明で参照する画面における関連姿勢画像１０は、立体的に人体の外観を描いたものであるが、人体の外郭を線で示すものや写真であってもよい。後述する人体画像についても同様である。
【００２３】
サブメニュー画面Ｄ２において、基本の動作検査欄Ａ７に回答を入力した場合と、急性痛の動作検査欄Ａ８に回答を入力した場合とを順に説明する。以下に説明するそれぞれの検査画面において、クリックされて回答が選択入力された回答選択欄Ａ１００の回答データそれぞれは、施術対象筋／経穴特定部６が受け付ける。
【００２４】
基本の動作検査欄Ａ７をクリックすると、検査画面表示部５は最初に、図４に示すような、腰部の基準運動面検査のための第一の検査画面Ｄ３１を表示する。この第一の検査画面Ｄ３１では、関連姿勢画像１０である前屈姿勢画像Ｇ１及び後屈姿勢画像Ｇ２と、右側屈姿勢画像Ｇ３及び左側屈姿勢画像Ｇ４とがそれぞれ表示されるとともに、回答選択欄Ａ１００である前後屈欄Ａ１０及び側屈欄Ａ１１と、画面操作のための戻る欄Ａ１２、次へ欄Ａ１３、メインメニュー欄Ａ９及びログアウト欄Ａ６とが表示される。
【００２５】
さらに、第一の検査画面Ｄ３１では、それぞれの関連姿勢画像１０には、直立姿勢から表示されている姿勢をとるまでの動作方向を示す矢印１１が、関連姿勢画像１０に重畳して表示される。また、それぞれの姿勢をとる場合の注意点を説明するための、例えば「前屈：つま先荷重で行う」のような文章（動作説明とも言う）１２が前屈及び後屈姿勢画像Ｇ１、Ｇ２の近傍に表示されるとともに、それらの姿勢をとる際の動作を評価する場合の要領として例えば、「評価１：前後屈動作と左右側屈動作のしにくい動き、または、対称動作で動きにくい差を大きく感じる動作にチェックしてください」のような文章（評価説明とも言う）１３が回答選択欄Ａ１００の近傍に同時に表示される。
【００２６】
ここで、前後屈欄Ａ１０をクリックして回答すると、検査画面表示部５は、図５に示すような、矢状面を基準運動面とする検査のための第二の検査画面Ｄ３２を表示する。第二の検査画面Ｄ３２では、関連姿勢画像１０である、前屈姿勢画像Ｇ１及び後屈姿勢画像Ｇ２が表示されるとともに、回答選択欄Ａ１００である前屈欄Ａ１４、後屈欄Ａ１５及び違和感あり欄Ａ１６、並びに第一の検査画面Ｄ３１と同様に画面操作のための戻る欄Ａ１２、次へ欄Ａ１３、メインメニュー欄Ａ９及びログアウト欄Ａ６が表示される。この第二の検査画面Ｄ３２にあっても、第一の検査画面Ｄ３１と同様に、動作説明１２として「後屈：足指を反って、頸を前屈し、お臍を見ながら行う  手を腰につけない」や、違和感あり欄Ａ１６の近傍に評価説明１３として「評価３：しにくい動作が短縮性収縮痛と思われる場合は、反対動作を行って、しにくい動作で感じる部位に、違和感が現れるかを検査してください」等が表示される。
【００２７】
第二の検査画面Ｄ３２で例えば後屈欄Ａ１５、違和感あり欄Ａ１６をこの順にクリックして回答し、次へ欄Ａ１３をクリックすると、検査画面表示部５は、矢状面を基準運動面とする検査、すなわち座位において上体を前後方向に動作させるための第三の検査画面Ｄ３３を表示する（図６）。第三の検査画面Ｄ３３では、関連姿勢画像１０である、座位において上体を後方に移動させて腰部を反らせる動作Ａの矢状Ａ姿勢画像Ｇ５と腰部を丸くする動作Ｂの矢状Ｂ姿勢画像Ｇ６とが動作説明１２とともに表示されるとともに、回答選択欄Ａ１００である動作Ａ欄Ａ１７及び動作Ｂ欄Ａ１８が評価説明１３とともに表示される。
【００２８】
この第三の検査画面Ｄ３３において、例えば動作のしにくかった動作が動作Ｂであることを、動作Ｂ欄をクリックして第三の検査画面Ｄ３３における回答を入力し次へ欄Ａ１３をこの順にクリックすると、検査画面表示部５は前額面を基準運動面とする検査、すなわち座位において上体を左右に傾ける姿勢のための第四の検査画面Ｄ３４を表示する（図７）。第四の検査画面Ｄ３４では、関連姿勢画像１０である、座位において胸の前で合掌した姿勢で右側に上体を傾ける動作Ａの前額Ａ姿勢画像Ｇ７と、左側に上体を傾ける動作Ｂの前額Ｂ姿勢画像Ｇ８が動作説明１２とともに表示されるとともに、回答選択欄Ａ１００である動作Ａ欄Ａ１９、動作Ｂ欄Ａ２０、どちらでもない欄Ａ２１及び違和感あり欄Ａ２２が評価説明１３とともに表示される。第四の検査画面Ｄ３４においても、画面操作のための戻る欄Ａ１２、次へ欄Ａ１３、メインメニュー欄Ａ９及びログアウト欄Ａ６が表示される。
【００２９】
第四の検査画面Ｄ３４で例えば、動作Ｂ欄Ａ２０をクリックし、かつ違和感あり欄Ａ２２をクリックして第四の検査画面Ｄ３４における回答し、その後次へ欄Ａ１３をクリックすると、検査画面表示部５は水平面を基準運動面とする検査のための第五の検査画面Ｄ３５を表示する（図８）。第五の検査画面Ｄ３５では、座位において体幹部と頸部とを反対方向にねじるようにする動作による二つの関連姿勢画像１０、すなわち体幹左回旋姿勢画像Ｇ９及び体幹右回旋姿勢画像Ｇ１０が動作説明１２とともに表示されるとともに、回答選択欄Ａ１００である体幹左回旋欄Ａ２３、体幹右回旋欄Ａ２４、どちらでもない欄Ａ２５及び違和感あり欄Ａ２６が評価説明１３とともに表示される。
【００３０】
一方、第三の検査画面Ｄ３３で例えば、動作Ｂ欄Ａ１８をクリックして回答し次へ欄をクリックすると、検査画面表示部５は前額面を基準運動面とする検査、すなわち座位において頸部を左右側屈させる姿勢のための第六の検査画面Ｄ３６を表示する（図９）。第六の検査画面Ｄ３６では、関連姿勢画像１０である、頸部を右側屈させる動作Ａの頸部Ａ姿勢画像Ｇ１１と左側屈させる頸部Ｂ姿勢画像Ｇ１２とが動作説明１２とともに表示されるとともに、回答選択欄Ａ１００である、動作Ａ欄Ａ２７、動作Ｂ欄Ａ２８、どちらでもない欄Ａ２９及び違和感あり欄Ａ３０が評価説明１３とともに表示される。
【００３１】
第六の検査画面Ｄ３６で例えば、どちらでもない欄Ａ２９をクリックして回答しその後次へ欄Ａ１３をクリックすると、検査画面表示部５は水平面を基準運動面とする検査のための第七の検査画面Ｄ３７を表示する（図１０）。第七の検査画面Ｄ３７では、座位において体幹部と頸部とを反対方向にねじるようにする動作による二つの関連姿勢画像１０、すなわち頸部左回旋姿勢画像Ｇ１３及び頸部右回旋姿勢画像Ｇ１４が動作説明１２とともに表示されるとともに、回答選択欄Ａ１００である、頸部左回旋欄Ａ３１、頸部右回旋欄Ａ３２、どちらでもない欄Ａ３３及び違和感あり欄Ａ３４が評価説明１３とともに表示される。
【００３２】
第一の検査画面乃至第七の検査画面Ｄ１、Ｄ２、Ｄ３１〜Ｄ３７は一例であり、それらに限定されるものではなく、回答選択欄Ａ１００の回答の組み合わせにより、複数の関連姿勢画像１０及び回等選択欄Ａ１００を表示する検査画面を、検査画面表示部５は表示するものである。
【００３３】
以上の基本の動作検査欄Ａ７に対して、サブメニュー画面Ｄ２で急性痛の動作検査欄Ａ８をクリックした場合、検査画面表示部５は、第一の検査画面Ｄ３１に対応する第一の急性痛検査画面Ｄ４１を表示する（図１１）。なお、以下に説明する第一の急性痛検査画面Ｄ４１〜第四の急性痛検査画面Ｄ４４においては、文言を異なるが、表示される関連姿勢画像１０に対応する動作説明１２及び評価説明１３が共通に表示される。
【００３４】
具体的には、第一の急性痛検査画面Ｄ４１では、関連姿勢画像１０である、前屈姿勢画像Ｇ２１及び後屈姿勢画像Ｇ２２と、右側屈姿勢画像Ｇ２３及び左側屈姿勢画像Ｇ２４とがそれぞれ表示されるとともに、回答選択欄Ａ１００である、立位０°とれない欄Ａ４１、前後屈欄Ａ４２、側屈欄Ａ４３、前屈欄Ａ４４及び後屈欄Ａ４５がそれぞれ表示される。また、一例として動作説明１２及び評価説明１３を挙げると、前屈姿勢をとる際の動作説明１２「前屈：つま先荷重で、体を前傾させる」が表示されるとともに、評価説明１３「評価１：立位０°姿勢が全く取れなかった場合は、チェックする」が表示される。
【００３５】
例えば前屈欄Ａ４４に回答を入力した後に次へ欄Ａ１３をクリックすると、検査画面表示部５は第二の急性痛検査画面Ｄ４２を表示する（図１２）。第二の急性痛検査画面Ｄ４２には、矢状面を基準運動面とする検査のためのもので、関連姿勢画像１０である、座位での姿勢である急性矢状Ａ姿勢画像Ｇ２５及び急性矢状Ｂ姿勢画像Ｇ２６が、回答選択欄Ａ１００である動作Ａ欄Ａ４６、動作Ｂ欄Ａ４７及び楽に行えた欄Ａ４８とともに表示される。
【００３６】
第二の急性痛検査画面Ｄ４２において例えば、動作Ａ欄Ａ４６に回答を入力して後、次へ欄Ａ１３をクリックすると、検査画面表示部５は前額面を基準運動面とする検査のための第三の急性痛検査画面Ｄ４３を表示する（図１３）。第三の急性痛検査画面Ｄ４３では、関連姿勢画像１０である、上述した座位における合掌した状態での右側屈の急性前額Ａ姿勢画像Ｇ２７と左側屈の急性前額Ｂ姿勢画像Ｇ２８と、回答選択欄Ａ１００である動作Ａ欄Ａ４９、動作Ｂ欄Ａ５０及びどちらでもない欄Ａ５１とが表示される。
【００３７】
第三の急性痛検査画面Ｄ４３において例えば、動作Ｂ欄Ａ５１に回答を入力して後、次へ欄Ａ１３をクリックすると、検査画面表示部５は水平面を基準運動面とする検査のための第四の急性痛検査画面Ｄ４４を表示する（図１４）。第四の急性痛検査画面Ｄ４４は、水平面を基準運動面とする検査のためのもので、座位において体幹部と頸部とを反対方向にねじるようにする動作による二つの関連姿勢画像１０、すなわち急性水平Ａ姿勢画像Ｇ２９及び急性水平Ｂ姿勢画像Ｇ３０が動作説明１２とともに表示されるとともに、回答選択欄Ａ１００である動作Ａ欄Ａ５２、動作Ｂ欄Ａ５３、及びどちらでもない欄Ａ５４が評価説明１３とともに表示される。
【００３８】
急性痛の動作検査では、第四の急性痛検査画面Ｄ４４の次に、筋肉の伸縮調整・痛みの種類を入力するための第五の急性痛検査画面Ｄ４５を検査画面表示部５が表示する。第五の急性痛検査画面Ｄ４５では、回答を入力するための選択欄である、筋肉の伸縮の調整として筋肉を短縮する調整の回答を入力するための短縮位欄Ａ５５及び筋肉を伸張する調整の回答を入力するための伸長位欄Ａ５６と、痛みの種類として伸張性収縮における痛みの回答を入力するための伸収痛欄Ａ５７及び短縮性収縮における痛みの回答を入力するための短収痛欄Ａ５８とが表示される。この実施形態では、短縮位欄Ａ５５と伸収痛欄Ａ５７とが標準設定（初期設定）してある。さらに、第五の急性痛検査画面Ｄ４５には、施術対象筋（対象筋とも言う）を表示させるための回答を入力するための対象筋表示欄Ａ５９が表示される。回答の入力が全て完了した後に対象筋表示欄Ａ５９をクリックすることで、施術対象筋／経穴特定部６は対象筋を特定する。
【００３９】
施術対象筋／経穴特定部６は、上述した各検査画面に表示された回答選択欄Ａ１００に選択されてそれぞれ入力された回答を示す回答データを受け付けるとともに、後述する施術対象筋／経穴表示部７からの回答データを受け付けて、検査画面表示部５からの回答データと施術対象筋／経穴表示部７からの回答データとの組み合わせに基づいて最終的な対象筋の筋肉部位Ｐを特定する。施術対象筋／経穴特定部６は、筋肉／経穴データベースを備え、受け付けた回答データの組み合わせに基づいて図示しない筋肉／経穴データベースを検索して、その結果得られた筋肉を対象筋とする。この筋肉／経穴データベースには、症状に応じて施術することにより症状の改善を見込める主として施術すべき筋肉を主になる対象筋とし、この主になる対象筋に対して、主になる対象筋を補足するようにして症状の改善に寄与する筋肉を副となる対象筋として分類して登録してある。検査が終了した直後では、検査画面表示部５からの回答データのうち、矢状面と水平面とを基準面として検査した姿勢における回答データに基づいて特定された対象筋の筋肉部位Ｐを、施術対象筋／経穴表示部７が最初に表示するように、施術対象筋／経穴表示部７に表示に関するデータを出力する。なお、施術対象筋／経穴表示部７が最初に表示する対象筋の筋肉部位Ｐは、前額面と水平面とを基準面として検査した姿勢における回答データに基づいて特定されたものであってもよい。
【００４０】
施術対象筋／経穴表示部７は、人体外観の全部又は一部を示す人体画像を表示するとともに、該人体画像において、施術対象筋／経穴特定部６が特定した対象筋の筋肉部位Ｐを他の部位とは区別可能に表示する。対象筋の筋肉部位Ｐは、一つの人体画像において複数標示される。表示する画面を、対象筋表示画面と称する。対象筋表示画面に表示する人体画像としては、手のひらが見える状態で仰臥した人体画像（仰臥画像とも言う）Ｇ４１、Ｇ４２、Ｇ４５と、手のひらが見える状態で伏臥した人体画像（伏臥画像とも言う）Ｇ４３、Ｇ４６とがある。対象筋の筋肉部位Ｐの異なる仰臥画像Ｇ４１、Ｇ４２、Ｇ４５を表示する対象筋表示画面Ｄ４７、Ｄ４７、Ｄ４９を、図１６、図１７、図１９にそれぞれ示す。また、伏臥画像Ｇ４３、Ｇ４６を表示する対象筋表示画面Ｄ４８、Ｄ５０を、図１８、図２０にそれぞれ示す。人体外観の一部を示す人体画像としては例えば、仰臥で手の甲が見えるようにした状態で手と前腕とを示す人体画像（部分人体画像とも言う）Ｇ４４、Ｇ４７を、この実施形態では仰臥画像Ｇ４１、Ｇ４２、Ｇ４５とともに表示する。
【００４１】
施術対象筋／経穴表示部７は、基本の動作検査及び急性痛の動作検査が終わった後に表示する対象筋表示画面Ｄ４６及び対象筋表示画面Ｄ４９では例えば、検査画面表示部５が出力した回答データのみに基づいて施術対象筋／経穴特定部６が特定した対象筋の筋肉部位Ｐを示す人体画像Ｇ４１、Ｇ４５を表示する。この場合に、特定された対象筋の筋肉部位Ｐは、矢状面と水平面との基準面としたものである。
【００４２】
対象筋表示画面Ｄ４６〜Ｄ５０に表示される人体画像Ｇ４１〜Ｇ４７は、施術対象筋／経穴特定部６が特定した対象筋の筋肉部位Ｐを例えば、容易に他の部位とは区別できるように、人体画像Ｇ４１〜Ｇ４７の全体の色とは異なる色で表示する。図１６〜図２０においては、特定された対象筋の筋肉部位Ｐを人体画像Ｇ４１〜Ｇ４７より明るくして図示している。加えて、人体画像Ｇ４１〜Ｇ４７により表示した対象筋の筋肉部位Ｐに含まれる対象筋の名称を、頸部、右上肢、左上肢、体幹、右下肢及び左下肢毎に、人体画像Ｇ４１の周囲の位置に筋肉一覧２０を表示している。具体的には、筋肉一覧２０では、対象筋のうち、基準面の全てに係わりあう筋肉名を上位に例えば太字で、かつ黄色の背景において表示し、以下、係わりあう基準面の数が少なくなるほど低位に表示する。係わりあう基準面が１つで最も低位に表示する筋肉名は、背景を着色せずに表示する。さらに施術対象筋／経穴表示部７は、治療継続中における情報として、対象筋表示画面Ｄ４６、Ｄ４８の上部にこれまでに行った検査を例えば、「検証動作：立・後屈  座・腰右側  座・腰左回」と言った字句を表示する。
【００４３】
また基本の動作検査が終わった後に施術対象筋／経穴表示部７が表示する対象筋表示画面Ｄ４６〜Ｄ４８では、表示する人体画像Ｇ４１〜Ｇ４４とともに、以下に詳述する回答が入力可能な複数の選択欄を表示する。具体的には、現在の症状を表示するための現在の症状欄Ａ６０と、基準面選択欄である矢状・前額選出欄Ａ６１及び基準面切替欄Ａ６２と、施術法選択欄であるテーピング欄Ａ６３及びストレッチ欄Ａ６４と、目的選択欄である局所重視欄Ａ７２、動作重視欄Ａ７３、バランス重視欄Ａ７４、動作向上欄Ａ７５、健康管理欄Ａ７６、運動性優先欄Ａ７７、支持性優先欄Ａ７８、主選択欄Ａ７９及び厳選欄Ａ８０と、治療において骨盤の矯正が必要な場合の骨格を表示するための骨格調整欄Ａ６５と、施術対象筋の部位を示す人体画像の形態を切り替えて表示するための仰臥欄Ａ６６、伏臥欄Ａ６７、４肢位欄Ａ６８及び２肢位欄Ａ６９と、来院指導へ欄Ａ７０と、治療を検証するための検証欄Ａ７１とを表示し、選択回答が入力されたら回答データを施術対象筋／経穴特定部６に出力する。基準面選択欄、施術法選択欄及び目的選択欄をクリックした場合には、それぞれの欄に示される内容に基づいて表示される対象筋の筋肉部位Ｐが相違するものである。
【００４４】
基準面選択欄は、対象筋が関連する基準面を切り替えた場合の対象筋の筋肉部位Ｐを表示するためのもので、治療を継続している場合に、症状の改善度合いが低いと思われる時等に使用する。対象筋表示画面Ｄ４６において、矢状・前額選出欄Ａ６１をクリックすると、矢状・前額選出欄Ａ６１の回答データが施術対象筋／経穴特定部６で受け付けられて、施術対象筋／経穴特定部６が矢状面と前額面とを基準面にして対象筋を特定し、施術対象筋／経穴表示部７が特定された対象筋の筋肉部位Ｐを表示する。この場合例えば、対象筋の筋肉部位Ｐは、図１７に示す対象筋表示画面Ｄ４７の人体画像Ｇ４２のように、対象筋表示画面Ｄ４６の人体画像Ｇ４１における対象筋の筋肉部位Ｐとは異なる位置に表示される。
【００４５】
同様にして、基準面切替欄Ａ６２をクリックすると、クリック前に選択していた基準面の組み合わせから、次に設定されている基準面の組み合わせにより施術対象筋／経穴特定部６が特定した対象筋の筋肉部位Ｐを施術対象筋／経穴表示部７が表示する。具体的には、矢状面と水平面との基準面の組み合わせによる対象筋の筋肉部位Ｐを表示している時に基準面切替欄Ａ６２をクリックすると、前額面と水平面との基準面の組み合わせによる対象筋の筋肉部位Ｐを表示する。なお、対象筋表示画面Ｄ４６は、前額面（冠状面）と水平面とを基準面による姿勢に基づいて特定された対象筋の筋肉部位Ｐを表示するようにしてもよい。
【００４６】
施術法選択欄は、施術方法に応じた対象筋の筋肉部位Ｐを絞り込んで表示するためのものである。対象筋表示画面Ｄ４６において、テーピング欄Ａ６３をクリックすると、その回答データに基づいて施術対象筋特定部６がテーピングによる施術に最適な筋肉に絞って筋肉データベースを検索し、その結果得られた対象筋の筋肉部位Ｐが示される仰臥画像Ｇ４２を施術対象筋表示部７が表示する。同様にして、ストレッチ欄Ａ６４をクリックすると、ストレッチによる施術に最適な対象筋の筋肉部位Ｐを仰臥画像Ｇ４２に表示する。この施術法選択欄には、上述の施術法以外に、マッサージ、指圧、鍼、灸、電気療法あるいは骨格矯正等を同時にあるいは上述の施術法に組み合わせて表示するものであってもよい。
【００４７】
次に２肢位欄Ａ６９をクリックした場合は、仰臥欄Ａ６６及び伏臥欄Ａ６７が表示され、クリックされた方に応じてこれらに対応した人体画像、すなわち仰臥画像Ｇ４１、Ｇ４２及び伏臥画像Ｇ４３が表示される。４肢位欄Ａ６８をクリックした場合は、仰臥欄Ａ６６と伏臥欄Ａ６７とに加えて、図１９、２０に示す対象筋表示画面Ｄ５１、Ｄ５２のように、右上側臥欄Ａ８１と左上側臥欄Ａ８２とが表示され、仰臥画像Ｇ４１、Ｇ４２と伏臥画像Ｇ４３とのほか、右側を上にして横たわった人体画像である右上側臥画像Ｇ４７と、左側を上にして横たわった人体画像である左上側臥画像Ｇ４８とを切り替えて表示することができる。
【００４８】
目的選択欄は、治療目的に適合した対象筋の筋肉部位Ｐを表示させるためのものである。目的選択欄である局所重視欄Ａ７２、動作重視欄Ａ７３、バランス重視欄Ａ７４、動作向上欄Ａ７５、健康管理欄Ａ７６、運動性優先欄Ａ７７、支持性優先欄Ａ７８、主選択欄Ａ７８、及び厳選欄Ａ８０は、被施術者が望んだり施術者が好ましいと考えたりする治療に関する回答を選択入力する時に使用する。クリックされた目的選択欄に対応する回答データを施術対象筋／経穴特定部６が受け付けて筋肉／経穴データベースを検索して、クリックされた目的選択欄に記載された治療目的に適合した対象筋を特定し、特定された対象筋の筋肉部位Ｐを施術対象筋／経穴表示部７が表示する。
【００４９】
具体的には、局所重視欄Ａ７２をクリックすると、体全体に施術するよりは、症状の原因となる筋肉部位に施術することにより症状を改善することを目的とした場合の対象筋の筋肉部位Ｐを表示する。施術しようとする局所に痛みが生じている際にはこの局所重視欄Ａ７２は選択されず、症状の改善が見え始め局所への施術ができることを判断した後に選択される。
【００５０】
動作重視欄Ａ７３をクリックすると、静止している場合より動作する際の違和感や痛み等の症状を改善することを目的とした場合の対象筋の筋肉部位Ｐを表示する。
【００５１】
バランス重視欄Ａ７４をクリックすると、全身の筋肉のバランスを重視して施術することで、症状の原因となる筋肉部位の違和感や痛み等を改善することを目的とした場合の対象筋の筋肉部位Ｐを表示する。
【００５２】
動作向上欄Ａ７５をクリックすると、日常生活における各種の動作がよりよくできるような体となることを目的とした場合の対象筋の筋肉部位Ｐを表示する。
【００５３】
健康管理欄Ａ７６をクリックすると、健康を維持、増進するのに有効な対象筋の筋肉部位Ｐを表示する。
【００５４】
以上の治療目的に対して、それらと組み合わせて選択することが可能な目的選択欄として、運動性優先欄Ａ７７、支持性優先欄Ａ７８、主選択欄Ａ７９及び厳選欄Ａ８０が設定してある。運動性優先欄Ａ７７をクリックすると、被施術者の運動能力を向上させるのに有効な筋肉を対象筋として、それらの対象筋の筋肉部位Ｐが特定されて表示される。支持性優先欄Ａ７８をクリックすると、上述した運動能力の向上よりも、種々の姿勢を維持するのに有効な筋肉を対象筋として、それらの対象筋の筋肉部位Ｐが特定されて表示される。また、主選択欄Ａ７９をクリックすると、上記の治療目的例えば局所重視やバランス重視において主になる対象筋の筋肉部位Ｐを優先的に特定して表示し、厳選欄Ａ８０をクリックすると、対象筋を検索する際の検索条件を厳重にして筋肉／経穴データベースを検索した場合の対象筋の筋肉部位Ｐを特定して表示する。
【００５５】
これらの治療目的のための選択欄の組み合わせとしては例えば、動作向上欄Ａ７５をクリックしその上で運動性優先欄Ａ７７をクリックすると、運動を行なう際の動作がしやすくなる対象筋の筋肉部位Ｐを施術対象筋／経穴特定部６が特定し、施術対象筋／経穴表示部７が特定された対象筋の筋肉部位Ｐを表示する。さらに、この状態で、主選択欄Ａ７９をクリックすると、動作向上において運動性を優先する対象筋の中でそれらの治療目的に効果のある主となる対象筋の筋肉部位Ｐを施術対象筋／経穴特定部６が特定し、施術対象筋／経穴表示部７が表示する。
【００５６】
以上にあっては、サブメニュー画面Ｄ２において基本の動作検査欄Ａ７をクリックした時の一連の画面を主に説明したが、急性痛の動作検査欄Ａ８をクリックした場合に、施術対象筋／経穴表示部７が表示する対象筋表示画面Ｄ４９、Ｄ５０では、対象筋表示画面Ｄ４６〜Ｄ４８と異なり、図２１、図２２に示すように、検証欄Ａ７１及び治療目的の選択のための局所重視欄Ａ７２〜健康管理欄Ａ７６は、透けたようにあるいは他とは色を薄くして表示してクリックできないように、その機能を制限した状態で表示される。すなわち急性痛の動作検査では、できるかぎり迅速に急性痛を緩和することが治療目的となるためで、それ以外の治療目的を選択することがないためである。急性痛の動作検査における対象筋表示画面Ｄ４９、Ｄ５０では、これら治療目的のための目的選択欄以外は、対象筋表示画面Ｄ４６〜Ｄ４８と同じに機能する。対象筋表示画面Ｄ４９では、仰臥画像Ｇ４１とは対象筋の筋肉部位Ｐが異なる仰臥画像Ｇ４５が、また対象筋表示画面Ｄ５０では、伏臥画像Ｇ４３とは対象筋の筋肉部位Ｐが異なる伏臥画像Ｇ４６が表示されることは言うまでもない。  
【００５７】
以上の構成によれば、施術者が被施術者に対して問診したり違和感を覚える部分を触ったり動かしたりすることなく、被施術者が表示された姿勢をとることで、施術対象となる対象筋の筋肉部位Ｐが仰臥画像Ｇ４１、Ｇ４２や伏臥画像Ｇ４３等により表示されるので、被施術者の症状に対して施術すればよい複数の対象筋の筋肉部位Ｐを標準化することができる。そのため、施術者は、経験、熟練度の如何にかかわらず適切に施術することができる。
【００５８】
動作検査における基準面を切り替えて対象筋の筋肉部位を表示することができるので、治療の継続中に、基準面を変えて対象筋の筋肉部位を確認することで別の角度から施術することができ、施術の効果を高めることができる。
【００５９】
施術方法や治療目的に応じて適切な対象筋の筋肉部位を表示することができるので、施術者は多様な角度から被施術者の症状に最適な施術を行なうことができる。
【００６０】
なお、本発明は上記実施形態に限定されるものではない。
【００６１】
図７に示した座位で行う検査のための検査画面としては例えば、図２３に示す検査画面Ｄ５３のように、頸部検査のための関連姿勢画像１０Ａと体幹検査のための関連姿勢画像１０Ｂとを並列に表示する構成のものであってもよい。この検査画面Ｄ５３では、関連姿勢画像１０Ａ、１０Ｂそれぞれに対応してその近傍に、回答選択欄Ａ９０Ａ、Ａ９０Ｂを配置する。このように検査画面Ｄ５３を構成することにより、検査画面Ｄ５３の数を減らすことができる。同様な検査画面Ｄ５４として、図２４に示すように、頸部及び体幹を旋回させる姿勢を頸部及び体幹のそれぞれの旋回方向を示す矢印とともに示す関連姿勢画像１０Ｃに対して、頸部及び体幹に対するそれぞれの回答選択欄を、動きにくい部位を特定する回答選択欄Ａ９１Ａと動きにくい方向を特定する回答選択欄Ａ９１Ｂとを同一画面に表示するものが挙げられる。検査画面Ｄ５４をこのように構成することにより、旋回による検査での回答を頸部と体幹とで検査画面を切り替えることなく行えるので、検査を迅速に進行させることができる。
【００６２】
上記実施形態では、同一の検査画面に複数の関連姿勢画像を表示するものを説明したが、一つの関連姿勢画像を最初の検査画面に表示し、次の検査画面に最初の検査画面に表示した関連姿勢画像に関連する関連姿勢画像を表示する、つまり関連姿勢画像毎に個別の検査画像に表示するようにしてもよい。それぞれの検査画面において回答選択欄が対にして表示されることは言うまでもない。
【００６３】
また、上記実施形態にあっては、施術対象筋の筋肉部位Ｐを対象筋表示画面において表示するものを説明したが、施術対象筋に代えて、施術対象筋／経穴特定部が特定した施術対象経穴が存在する部位を、施術対象筋の場合と同様に、施術対象筋／経穴表示部が人体画像に他の部位とは区別可能に表示するものであってもよい。この場合、人体画像とともに、特定された施術対象経穴の名称が人体画像の周囲に表示されるとともに、上記実施形態同様に、目的選択欄、基準面選択欄、及び「鍼」、「灸」等の施術法選択欄が表示される。
【００６４】
本発明の実施形態としては、入力手段とディスプレイとが一体になっているスマートフォンやタブレット端末等のモバイル端末（モバイルデバイス）の形態のものであってもよい。この種のモバイル端末は、ＣＰＵ、メモリ、タッチパネルディスプレイ等の入出力手段を有し、メモリに記憶されているプログラム又は例えばインターネット等を経由してアクセスが可能な外部サーバ等に格納されたプログラムを実行することにより、上記実施形態で説明した各機能を実現する。タッチパネルディスプレイの場合、表示されている回答選択欄Ａ１００の位置でディスプレイ表面をタップして回答を入力する。  
【００６５】
このようなモバイル端末にあっては、被施術者が施術場所に行かずに自宅や外出先でも対象筋の筋肉部位Ｐを確認することができる。
【００６６】
関連姿勢画像は、静止画以外に動画であってもよい。
【００６７】
なお、テーピング及びストレッチによる施術を説明する画面（施術説明画面とも言う）を、上記実施形態に組み合わせるものであってもよい。例えば、対象筋表示画面でテーピング欄Ａ６３又はストレッチ欄６４をクリックして表示された施術対象筋に対するテーピング又はストレッチは、例えば「アスリート版」（アスリート版欄とも言う）といった名称の回答選択欄を対象筋表示画面の例えば厳選欄Ａ８０に下に設けておき、そのアスリート版欄をクリックすることで、対象筋表示画面から以下に説明する施術説明画面Ｄ５５、Ｄ５６に切り替わるようにする。具体的な施術説明画面Ｄ５５、Ｄ５６としては、図２５及び図２６に示すものが挙げられる。施術説明画面Ｄ５５、Ｄ５６は、施術を行なう際の注意事項を表示した後に、図２５及び図２６に示した実際に施術している状態を撮影した写真Ｆ１、Ｆ２を使用した施術説明画面Ｄ５５、Ｄ５６に切り替わり、施術を説明する。このように写真Ｆ１、Ｆ２を使用することにより、特定されて対象筋表示画面に表示された施術対象筋の位置が、被施術者が自分自身で施術する場合に把握しやすくすることができる。施術説明画面Ｄ５５、Ｄ５６では、施術を示す写真Ｆ１、Ｆ２とともに施術を説明する文章Ｓ１、Ｓ２と、施術する対象筋肉名Ｎ１、Ｎ２等を、モード選択、選出目的、難易度等が選択できる選択欄ＡＸＸとともに同一画面に表示する構成である。
【００６８】
その他、本発明は上記実施形態に限られず、その趣旨を逸脱しない範囲で種々の変形が可能であるのは言うまでもない。
【産業上の利用可能性】
【００６９】
本発明の施術部位特定装置を用いれば、施術者は経験や熟練度等の如何にかかわらず被施術者の身体の状態に対応して適切に施術することができる。
【符号の説明】
【００７０】
５・・・検査画面表示部
６・・・施術対象筋特定部
７・・・施術対象筋表示部
１０・・・関連姿勢画像
Ａ１００・・・回答選択欄
Ｇ４１、Ｇ４２、Ｇ４５・・・仰臥画像（人体画像）
Ｇ４３、Ｇ４６・・・伏臥画像（人体画像）
Ｇ４４、Ｇ４７・・・一部を示す人体画像
Ｐ・・・筋肉部位
【図１】
2016154853.tif 000003
【図２】
2016154853.tif 000004
【図３】
2016154853.tif 000005
【図４】
2016154853.tif 000006
【図５】
2016154853.tif 000007
【図６】
2016154853.tif 000008
【図７】
2016154853.tif 000009
【図８】
2016154853.tif 000010
【図９】
2016154853.tif 000011
【図１０】
2016154853.tif 000012
【図１１】
2016154853.tif 000013
【図１２】
2016154853.tif 000014
【図１３】
2016154853.tif 000015
【図１４】
2016154853.tif 000016
【図１５】
2016154853.tif 000017
【図１６】
2016154853.tif 000018
【図１７】
2016154853.tif 000019
【図１８】
2016154853.tif 000020
【図１９】
2016154853.tif 000021
【図２０】
2016154853.tif 000022
【図２１】
2016154853.tif 000023
【図２２】
2016154853.tif 000024
【図２３】
2016154853.tif 000025
【図２４】
2016154853.tif 000026
【図２５】
2016154853.tif 000027
【図２６】
2016154853.tif 000028